Podtech/llm-jp-corpus-v4-ja_patent huggingface dataset:
【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
バッテリー駆動のできるモバイルユニット及び外部電源駆動のできるベースステーションと、
前記モバイルユニット内にあって、前記モバイルユニットの端部の近くに配置される光源と前記光源に電力を供給する第１の電源とを有する、第１のバックライト回路と、
前記ベースステーション内にあって、前記外部電源に接続でき、前記モバイルユニットが前記ベースステーションに取り付けられたときに、前記モバイルユニットのバックライト光度を増すための手段を有する、第２のバックライト回路と、
を備えることを特徴とする、モバイルディスプレイシステム。
【請求項２】
前記第１のバックライト回路は、予め選択された一つが前記第１の電源から電力の供給を受ける、複数の光源を有し、前記第２のバックライト回路の前記手段は、前記モバイルユニットが前記ベースステーションに取り付けられたときに、前記第１のバックライト回路内の他の光源に電力を供給するための少なくとも一つの付加電源を有することを特徴とする、請求項１に記載のモバイルディスプレイシステム。
【請求項３】
前記第２のバックライト回路の前記手段は、前記ベースステーションの端部の近くに配置される１以上の光源と、前記１以上の光源に電力を供給するための少なくとも１つの付加電源とを備え、前記ベースステーションと前記モバイルユニットとは、前記１以上の光源からの光を前記モバイルユニットにカップリングするように構成されていることを特徴とする、請求項１に記載のモバイルディスプレイシステム。
【請求項４】
前記ベースステーションと前記モバイルユニットとは、光をカップリングすることができる材料から成る、選択された面を有することを特徴とする、請求項３に記載のモバイルディスプレイシステム。
【請求項５】
前記ベースステーションは、前記モバイルユニットが前記ベースステーションに取り付けられているかどうかを検知する、検知機構をさらに備えることを特徴とする、請求項１に記載のモバイルディスプレイシステム。
【請求項６】
前記モバイルユニットはフラットパネルディスプレイを有することを特徴とする、請求項１に記載のモバイルディスプレイシステム。
【手続補正２】
【補正対象書類名】図面
【補正対象項目名】図１
【補正方法】変更
【補正の内容】
【図１】
2005509939.tif 000001
【手続補正３】
【補正対象書類名】図面
【補正対象項目名】図３Ａ
【補正方法】変更
【補正の内容】
【図３Ａ】
2005509939.tif 000002
【手続補正書】
【提出日】平成17年11月9日(2005.11.9)
【手続補正１】
【補正対象書類名】特許請求の範囲
【補正対象項目名】請求項４
【補正方法】変更
【補正の内容】
【請求項４】
モノクローナル抗体が、ヒトc-kitの抗原性エピトープに対するマウスモノクローナルIgGである、請求項3記載の方法。
【手続補正２】
【補正対象書類名】特許請求の範囲
【補正対象項目名】請求項４５
【補正方法】変更
【補正の内容】
【請求項４５】
羊水からの組織検体を単離する段階を含む、多能性胎児性幹細胞について増加させた細胞集団を得る方法。
【手続補正３】
【補正対象書類名】特許請求の範囲
【補正対象項目名】請求項４６
【補正方法】変更
【補正の内容】
【請求項４６】
細胞が次に凍結保存される、請求項30、31、または45記載の方法。
【手続補正４】
【補正対象書類名】特許請求の範囲
【補正対象項目名】請求項４７
【補正方法】変更
【補正の内容】
【請求項４７】
生体適合性ポリマー足場および単離されたc-kit陽性胎児性幹細胞を含む、組織工学構築物
【手続補正書】
【提出日】平成17年11月7日(2005.11.7)
【手続補正１】
【補正対象書類名】特許請求の範囲
【補正対象項目名】全文
【補正方法】変更
【補正の内容】
【特許請求の範囲】
【請求項１】
ルシフェラーゼとルシフェリンリサイクリングタンパク質とをコードする構築物で細胞を形質転換し、ルシフェリンを該細胞内に導入し、該細胞からの生物発光シグナルをモニターすることを含んでなる、細胞内ＡＴＰおよび／または遺伝子発現の測定方法。
【請求項２】
細胞内ＡＴＰレベルをモニターするために使用する、請求項１記載の方法。
【請求項３】
ルシフェラーゼの発現をモニターするために使用する、請求項１記載の方法。
【請求項４】
該細胞をルシフェリンと接触させ、ｐＨを５未満に減少させた後、該アッセイを開始し、ついで該細胞を生理的ｐＨ条件に戻す、前記請求項のいずれか１項記載の方法。
【請求項５】
さらに、該細胞を、それがＬ−システインラセマーゼを発現するよう形質転換する、前記請求項のいずれか１項記載の方法。
【請求項６】
該細胞が、前記の第１のルシフェラーゼとは異なるＫｍ値および異なる波長出力を有するもう１つのルシフェラーゼを発現しうる、前記請求項のいずれか１項記載の方法。
【請求項７】
（ｉ）ルシフェラーゼ酵素をコードする核酸配列と、（ｉｉ）ルシフェリンリサイクリングタンパク質をコードする核酸配列とを含んでなるＤＮＡ構築物。
【請求項８】
ルシフェラーゼとルシフェリンリサイクリングタンパク質とを含む融合タンパク質を発現するよう（ｉ）の核酸配列と（ｉｉ）の核酸配列とが連結されている、請求項７記載のＤＮＡ構築物。
【請求項９】
（ｉｉｉ）もう１つのルシフェラーゼ酵素をコードする核酸配列と、（ｉｖ）Ｌ−システインラセマーゼ酵素をコードする核酸配列とから選ばれる１以上の追加的成分を更に含む、請求項７または請求項８記載のＤＮＡ構築物。
【請求項１０】
単一のベクターを含む、請求項７〜９のいずれか１項記載のＤＮＡ構築物。
【請求項１１】
細胞の共形質転換において使用しうる２以上のベクターを含む、請求項７〜９のいずれか１項記載のＤＮＡ構築物。
【請求項１２】
請求項７〜１１のいずれか１項記載のＤＮＡ構築物で形質転換された細胞。
【請求項１３】
哺乳類細胞または植物細胞である、請求項１２記載の細胞。
【請求項１４】
該ルシフェリンリサイクリングタンパク質が配列番号１、６２もしくは６３のタンパク質またはそのルシフェリンリサイクリング断片またはこれらのいずれかの変異体である、請求項１〜６のいずれか１項記載の方法、請求項７〜１１のいずれか１項記載のＤＮＡ構築物または請求項１２〜１３のいずれか１項記載の細胞。
【請求項１５】
該ルシフェリンリサイクリングタンパク質が、配列番号３、配列番号３９、配列番号５９もしくは配列番号６１を含むルシフェリンリサイクリングタンパク質またはそのルシフェリンリサイクリング断片もしくは変異体である、請求項１〜６のいずれか１項記載の方法、請求項７〜１１のいずれか１項記載のＤＮＡ構築物または請求項１２〜１３のいずれか１項記載の細胞。
【請求項１６】
該ルシフェリンリサイクリングタンパク質が、配列番号５９を含むルシフェリンリサイクリングタンパク質またはそのルシフェリンリサイクリング断片もしくは変異体である、請求項１５記載の方法、ＤＮＡ構築物または細胞。
【請求項１７】
発光虫種から入手可能なルシフェリンリサイクリングタンパク質またはそのルシフェリンリサイクリング断片またはそれに対して少なくとも６０％の相同性を有するタンパク質。
【請求項１８】
該発光虫種がラムピリス・ノクチルカ（Ｌａｍｐｙｒｉｓ  ｎｏｃｔｉｌｕｃａ）である、請求項１７記載のルシフェリンリサイクリングタンパク質。
【請求項１９】
配列番号３、配列番号３９もしくは配列番号５９またはルシフェリンリサイクリング断片またはこれらのいずれかの変異体を含む、請求項１７または請求項１８記載のルシフェリンリサイクリングタンパク質。
【請求項２０】
配列番号３もしくは配列番号３９またはルシフェリンリサイクリング断片またはこれらのいずれかの変異体を含む、請求項１７〜１９のいずれか１項記載のタンパク質。
【請求項２１】
配列番号５９またはルシフェリンリサイクリング断片またはこれらのいずれかの変異体を含む、請求項１７〜１９のいずれか１項記載のタンパク質。
【請求項２２】
配列番号５９を含む、請求項２１記載のタンパク質。
【請求項２３】
異なる種のルシフェラーゼリサイクリングタンパク質遺伝子において見出されるエキソンによりコードされる断片を含んでなるキメラルシフェラーゼリサイクリングタンパク質。
【請求項２４】
該エキソンの少なくとも１つが発光虫種の遺伝子に由来する、請求項２３記載のキメラルシフェラーゼリサイクリングタンパク質。
【請求項２５】
該エキソンの少なくとも１つがホタル種の遺伝子に由来する、請求項２３または請求項２４記載のキメラルシフェラーゼリサイクリングタンパク質。
【請求項２６】
ラムピリス・ノクチルカ（Ｌａｍｐｙｒｉｓ  ｎｏｃｔｉｌｕｃａ）ルシフェラーゼリサイクリング遺伝子のエキソン２、３、４および５によりコードされる断片に連結された、フォチヌス・ピラリス（Ｐｈｏｔｉｎｕｓ  ｐｙｒａｌｉｓ）ルシフェラーゼリサイクリング遺伝子のエキソン１によりコードされる断片を含む、請求項２３〜２５のいずれか１項記載のキメラルシフェラーゼリサイクリングタンパク質。
【請求項２７】
ルシフェラーゼ酵素とルシフェラーゼリサイクリングタンパク質とを含んでなる融合タンパク質。
【請求項２８】
該ルシフェリンリサイクリングタンパク質が請求項１７〜２６のいずれか１項記載のタンパク質である、請求項１８記載の融合タンパク質。
【請求項２９】
請求項１７〜２８のいずれか１項記載のタンパク質をコードする核酸。
【請求項３０】
配列番号４または配列番号３１〜３７のいずれか１つを含む、請求項２９記載の核酸。
【請求項３１】
配列番号４０またはその変異体を含む、請求項２９記載の核酸。
【請求項３２】
配列番号５８またはその変異体を含む、請求項２９記載の核酸。
【請求項３３】
ｃＤＮＡ配列である、請求項２９記載の核酸。
【請求項３４】
Ｄ−ルシフェリンのような光学活性酵素基質の製造方法であって、該基質の酸化形態（例えば、オキシルシフェリン）を、前記請求項のいずれか１項記載のリサイクリングタンパク質、および該変換を行うのに必要ないずれかの他のアミノ酸（例えば、システイン）と接触させることを含んでなる製造方法。
【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
脱脂オイルシードを処理する方法であって、
(a)脱脂オイルシードを、pH３〜９で、水中にてスラリー化し、スラリーを生成すること、
(b) スラリーを第１固体生成物と第１の主に液体の分画に分離すること、
(c) 十分量のアルカリ化合物を第１の主に液体の分画に添加し、pHをpH9以上に高め、それによって、第２固体生成物が前記主液体残留物から沈殿し、第2アルカリ液体分画を残すこと、から成る方法。
【請求項２】
以下の追加段階を含む請求項１記載の方法：
(d) 前記沈殿物を主に液体の分画から分離し、それによって第２固体生成物と第２液体分画を入手すること、
(e) 水と十分量の酸性化合物を前記の第２固体生成物に添加して第２固体生成物をpH１〜５まで酸性化し、それによって、前記の第２固体生成物の一部は水に溶解して第３液体を生成し、第２固体生成物の残部は溶解しないこと。
【請求項３】
十分量の酸性化合物を添加し、前記の第２固体生成物をpH２〜４に酸性化することを特徴とする請求項２に記載の方法。
【請求項４】
第２固体生成物の非溶解部分を酸性化混合物から分離し、第３固体生成物を得ることを特徴とする請求項２または３に記載の方法。
【請求項５】
動物飼料または食品として使用するために、第３固体生成物を回収することを特徴とする請求項４に記載の方法。
【請求項６】
第３液体をフィターゼと反応させ、反応混合液からイノシトールを回収することを特徴とする請求項２または３に記載の方法。
【請求項７】
以下の追加段階を含む請求項１〜６のいずれかに記載の方法；
(f) 前記のアルカリ性第２液体分画からタンパク質を沈殿させ、それによって、タンパク質が豊富な第４固体沈殿物と沈殿後に残った第４液体を得ること。
【請求項８】
第４液体を限外濾過し、高タンパク第１保持液および高糖分第１透過液を得ることを特徴とする請求項７記載の方法。
【請求項９】
高糖分第１透過液をナノ濾過し、高糖分第２保持液と第２透過液を得ることを特徴とする請求項８記載の方法。
【請求項１０】
高タンパク第１保持液を乾燥し、固体とすることを特徴とする請求項７又は８記載の方法。
【請求項１１】
脱脂オイルシードから得られる生成物であって、少なくとも５重量%フィチン酸塩および50重量%までのタンパク質を含む新規物質組成物。
【請求項１２】
少なくとも10重量%フィチン酸塩を含む請求項１１記載の新規物質組成物。
【請求項１３】
脱脂オイルシードがカノーラフレークであることを特徴とする請求項１１または１２記載の新規物質組成物。
【請求項１４】
脱脂オイルシードから得られる生成物であって、少なくとも80重量%タンパク質、１重量%未満フィチン酸塩を含み、タンパク分散性指数が５%未満である新規物質組成物。
【請求項１５】
該生成物が少なくとも50重量%タンパク質を含むことを特徴とする請求項１４記載の新規物質組成物。
【請求項１６】
脱脂オイルシードがカノーラフレークであることを特徴とする請求項１４または１５記載の新規物質組成物。
【請求項１７】
脱脂オイルシードミールからから得られる生成物であって、少なくとも50重量%タンパク質、１重量%未満フィチン酸塩を含み、タンパク分散性指数が40%を越える新規物質組成物。
【請求項１８】
脱脂オイルシードがカノーラフレークであることを特徴とする請求項１７に記載の新規物質組成物。
【手続補正書】
【提出日】平成17年7月28日(2005.7.28)
【手続補正１】
【補正対象書類名】特許請求の範囲
【補正対象項目名】全文
【補正方法】変更
【補正の内容】
【特許請求の範囲】
【請求項１】
患者に対してドラッグデリバリを行うシステムであって、
ユーザからの入力を受け入れるユーザインタフェースと、
ある量の薬物を患者にデリバリするドラッグデリバリ装置と、
患者に結合されて、該患者の少なくとも１つの健康状態を反映する信号を生成するようになっている複数の患者健康モニタと、
前記ユーザインタフェース、ドラッグデリバリ装置、および患者健康モニタをソフトウェアアルゴリズムの階層に従って統合し、前記デリバリ装置により前記患者にデリバリされる薬物の量を前記ユーザからの入力および前記患者健康モニタが生成した信号に基づいて、自動アクションが薬物レベルを維持または低減する場合にはさらなるユーザからの入力なしに変化させるようにするプロセッサと
を備える、ドラッグデリバリを行うシステム。
【請求項２】
前記ソフトウェアアルゴリズムの階層は、薬物状態モデルおよび流量制御アルゴリズムを含む、請求項１に記載のドラッグデリバリを行うシステム。
【請求項３】
前記ソフトウェアアルゴリズムの階層は、さらにインタフェースアルゴリズムを含む、請求項１または２に記載のドラッグデリバリを行うシステム。
【請求項４】
前記ソフトウェアアルゴリズムの階層は、リアルタイムで実行される、目標制御注入アルゴリズムまたは流量制御注入アルゴリズムのいずれかである、請求項３に記載のドラッグデリバリを行うシステム。
【請求項５】
前記インタフェースアルゴリズムは、事前にプログラムされた注入速度テンプレートを用いる、請求項３に記載のドラッグデリバリを行うシステム。
【請求項６】
前記薬物は、鎮静剤、健忘薬、および鎮痛剤の少なくとも一つである、請求項３〜５のいずれか一項に記載のドラッグデリバリを行うシステム。
【請求項７】
前記患者健康モニタのための監視部位は、血漿、脳、中枢神経系、神経筋接合部、肺胞腔、腎臓、肝臓、膵臓、視床下部、心臓組織、圧受容器の少なくとも一つを含む、請求項３〜６のいずれか一項に記載のドラッグデリバリを行うシステム。
【請求項８】
前記インタフェースアルゴリズムは、異なる効果部位における異なる目標薬物濃度の時間プロファイルを作成することができる、請求項３、４、６、または７に記載のドラッグデリバリを行うシステム。
【請求項９】
前記複数の患者健康モニタは意識モニタである、請求項１に記載のドラッグデリバリを行うシステム。
【請求項１０】
前記意識モニタは自動応答性試験モニタである、請求項９に記載のドラッグデリバリを行うシステム。
【請求項１１】
前記複数の患者健康モニタは、パルスオキシメータおよび非侵襲性血圧モニタの少なくとも一つを含む、請求項１０に記載のドラッグデリバリを行うシステム。
【請求項１２】
前記複数の患者健康モニタは、カプノメータおよびＥＣＧの少なくとも一つをさらに含む、請求項１０に記載のドラッグデリバリを行うシステム。
【請求項１３】
前記システムは、前記ユーザによって開始された緩やかな薬物増加の間に受け取る自動応答性試験データに基づいて、薬物レベルの限界を決定し、
前記薬物レベルの限界は、初期のユーザ入力レベルを超えない
請求項１２に記載のドラッグデリバリを行うシステム。
【請求項１４】
前記自動応答性試験質問サイクル周期は、前記緩やかな薬物増加の間はＦＡＳＴに設定される、請求項１３に記載のドラッグデリバリを行うシステム。
【請求項１５】
警告アラームが、前記ユーザによって開始された線形薬物増加の間の、前記自動応答性試験に対する失敗した応答の一つまたは複数を指示する、請求項１０に記載のドラッグデリバリを行うシステム。
【請求項１６】
前記自動応答性試験質問サイクル周期は、前記線形薬物増加の間はＦＡＳＴに設定される、請求項１５に記載のドラッグデリバリを行うシステム。
【請求項１７】
前記システムは、前記自動応答性試験に対する失敗した応答の一つまたは複数を受け取ると、薬物注入速度を減少させる、請求項１０に記載のドラッグデリバリを行うシステム。
【請求項１８】
前記システムは、前記薬物注入速度の減少の間、前記自動応答性試験に対する成功した応答の一つまたは複数を受け取ると、前記薬物注入速度を維持する、請求項１７に記載のドラッグデリバリを行うシステム。
【請求項１９】
前記システムは、前記患者の少なくとも１つの健康状態を反映する信号が許容値未満である場合、薬物のデリバリの開始を防ぐ、請求項１０に記載のドラッグデリバリを行うシステム。
【請求項２０】
前記患者の少なくとも１つの健康状態を反映する信号は、前記患者の意識を評価するためのＥＥＧ信号である、請求項１９に記載のドラッグデリバリを行うシステム。
【請求項２１】
前記ソフトウェアアルゴリズムの階層は、薬物状態モデルおよび流量制御アルゴリズムを含み、
前記薬物状態モデルは、ＲＡＭＰ  ＵＰ、ＲＡＭＰ  ＤＯＷＮ、ＬＥＶＥＬ、およびＯＦＦの状態を含む、請求項９に記載のドラッグデリバリを行うシステム。
【請求項２２】
前記薬物状態モデルは、ＳＴＡＴ  ＵＰ、ＳＴＡＴ  ＤＯＷＮ、およびＲＥＤＵＣＴＩＯＮの状態を含む、請求項２１に記載のドラッグデリバリを行うシステム。
【請求項２３】
前記ユーザが、現在のＥＳＣより大きい新たな目標ＥＳＣを入力した場合は常に、前記ＲＡＭＰ  ＵＰの状態がデフォルトの状態となる、請求項２１に記載のドラッグデリバリを行うシステム。
【請求項２４】
前記ユーザが、現在のＥＳＣより小さい新たな目標ＥＳＣを入力した場合は常に、前記ＲＡＭＰ  ＤＯＷＮの状態がデフォルトの状態となる、請求項２１に記載のドラッグデリバリを行うシステム。
【請求項２５】
前記流量制御アルゴリズムは、前記薬物が正確に要求される注入速度でデリバリされるように、前記デリバリ装置を管理する、請求項２に記載のドラッグデリバリを行うシステム。
【手続補正書】
【提出日】平成17年10月18日(2005.10.18)
【手続補正１】
【補正対象書類名】特許請求の範囲
【補正対象項目名】請求項５
【補正方法】変更
【補正の内容】
【請求項５】
前記分離手段（１１）は、前記吸引チャネル（１２）内に配設され、前記分離手段（１１）の遠位端部は、前記オリフィス（１３）に対して最大限に延びる、請求項１ないし４のいずれか１項に記載の緑内障を治療する装置。
【手続補正２】
【補正対象書類名】図面
【補正対象項目名】図８
【補正方法】変更
【補正の内容】
【図８】
2005509491.tif 000001
【手続補正書】
【提出日】平成17年7月25日(2005.7.25)
【手続補正１】
【補正対象書類名】特許請求の範囲
【補正対象項目名】全文
【補正方法】変更
【補正の内容】
【特許請求の範囲】
【請求項１】
天然臓器の機能を増強するための人工臓器構築物であって、
少なくとも一つの細胞集団の培養された細胞によりマトリックス材料を潅流することにより形成された三次元バイオマトリックスであって、細胞がマトリックス材料に付着して天然臓器の一つ又は複数の標的部位において臓器の機能を増強することができる組織層を生じるようなバイオマトリックスであって、但し、当該マトリックスは５０ミリメートルより小さい最大面積を有し、その最大面積のその厚さに対する比が５：１を超えるマトリックス
を含む上記構築物。
【請求項２】
細胞をミニマトリックス材料上に潅流することにより形成された構築物である、請求項１記載の構築物。
【請求項３】
構築物が、心臓、腎臓、肝臓、膵臓、脾臓、膀胱、尿道及び輸尿管からなる群から選択される臓器を増強するために選択される、請求項１又は２記載の構築物。
【請求項４】
マトリックス材料が脱細胞化された組織である、請求項１乃至３の何れか１項記載の構築物。
【請求項５】
マトリックス材料がヒドロゲルである、請求項１乃至４の何れか１項記載の構築物。
【請求項６】
ヒドロゲルが約０．０１ｍｍ３から約３０ｍｍ３の容積を有する、請求項１乃至５の何れか１項記載の構築物。
【請求項７】
ヒドロゲルが約０．１ｍｍ３から約２０ｍｍ３の容積を有する、請求項１乃至６の何れか１項記載の構築物。
【請求項８】
マトリックス材料がポリマーである、請求項１乃至７の何れか１項記載の構築物。
【請求項９】
マトリックスの最大寸法が２５ミリメートルより短い、請求項１乃至８の何れか１項記載の構築物。
【請求項１０】
マトリックスの最大寸法が１０ミリメートルより短い、請求項１乃至９の何れか１項記載の構築物。
【請求項１１】
マトリックスの最大寸法が２−５ミリメートルより短い、請求項１乃至１０の何れか１項記載の構築物。
【請求項１２】
マトリックスの最大寸法が２−３ミリメートルより短い、請求項１乃至１１の何れか１項記載の構築物。
【請求項１３】
その最大寸法のその厚さに対する比が５：１を超える実質平坦な構造をマトリックスが有する、請求項１乃至１２の何れか１項記載の構築物。
【請求項１４】
腎細胞集団によりマトリックス材料を潅流することにより形成された三次元バイオマトリックスであって、腎細胞がマトリックス材料に付着してネフロン構造又はネフロン構造の一部に分化する組織層を生じるようなバイオマトリックス
を含む腎臓機能増強用構築物である、請求項１乃至１３の何れか１項記載の構築物。
【請求項１５】
心臓細胞集団によりマトリックス材料を潅流することにより形成された三次元バイオマトリックスであって、心臓細胞がマトリックス材料に付着して心臓構造又は心臓構造の一部に分化する組織層を生じるようなバイオマトリックス
を含む心臓機能増強用構築物である、請求項１乃至１４の何れか１項記載の構築物。
【請求項１６】
マトリックスが最初に内皮細胞集団により潅流され、内皮細胞はマトリックスに付着することにより脈管系を含む内皮組織層を生じるようにし、そして細胞の第２集団を植えるが、第２細胞集団が脈管系を含む第２の内皮組織層に付着して、臓器機能を増強するように分化するような、請求項１乃至１５の何れか１項記載の構築物。
【手続補正書】
【提出日】平成17年10月26日(2005.10.26)
【手続補正１】
【補正対象書類名】特許請求の範囲
【補正対象項目名】全文
【補正方法】変更
【補正の内容】
【特許請求の範囲】
【請求項１】
疾患治療のための投薬システムにおいて、
（ｉ）前記疾患を示す１以上の生化学マーカーを検出するための検出手段；
（ii）前記検出手段から得られる情報を処理するための電子処理手段；および
（iii）前記電子処理手段によって決定される量の医薬を投薬するための投薬手段
を有することを特徴とするシステム。
【請求項２】
前記検出手段、電子処理手段および投薬手段が単一の装置に統合されている請求項１に記載の投薬システム。
【請求項３】
前記電子処理手段および投薬手段が単一の装置に統合されており、前記検出手段が該装置に対する付属装置である請求項１に記載の投薬システム。
【請求項４】
前記電子処理手段および投薬手段が単一の装置に統合されており、前記検出手段が該装置と隔離されている請求項１に記載の投薬システム。
【請求項５】
前記検出手段および投薬手段が単一の装置に統合されており、前記電子処理手段が独立型ユニットとして存在している請求項１に記載の投薬システム。
【請求項６】
前記検出手段が感知手段を有する請求項１〜５のいずれかに記載の投薬システム。
【請求項７】
前記感知手段がバイオセンサーを有する請求項６に記載の投薬システム。
【請求項８】
前記バイオセンサーが感知層およびトランスデューサー層を有する請求項７に記載の投薬システム。
【請求項９】
前記感知層が、酵素、受容体、微生物、抗体、抗原、核酸、細胞、ペプチド、タンパク質および生化学物質からなる群から選択される１以上の材料を含む請求項８に記載の投薬システム。
【請求項１０】
前記感知層が、酵素、受容体、微生物、抗体、抗原、核酸、細胞、ペプチド、タンパク質および生化学物質に類似する１以上の人工的または合成材料を含む請求項８に記載の投薬システム。
【請求項１１】
前記感知層が再生可能な感知表面を有する請求項８〜１０のいずれかに記載の投薬システム。
【請求項１２】
前記感知層が非再生性の感知表面を有する請求項７〜１０のいずれかに記載の投薬システム。
【請求項１３】
前記感知層が前記非再生性感知表面を組み込んだ使い捨て要素を有する請求項１２に記載の投薬システム。
【請求項１４】
トランスデューサー層が光学、電気、半導体、熱または音波機構を有する請求項８に記載の投薬システム。
【請求項１５】
前記感知手段が非特異的生物センサーまたは化学センサーである請求項６に記載の投薬システム。
【請求項１６】
前記検出手段がさらに前分離装置を有する請求項１５に記載の投薬システム。
【請求項１７】
前記前分離装置が、小型ガスクロマトグラフィー装置、キャピラリー電気泳動チップその他の電気泳動装置、またはラテラルフローメンブレンである請求項１６に記載の投薬システム。
【請求項１８】
前記検出手段が１以上の生化学マーカーの直接スペクトル分析検出のためのスペクトル分析検出手段を有する請求項１〜５のいずれかに記載の投薬システム。
【請求項１９】
前記スペクトル分析検出手段が、赤外線およびラマンスペクトル分析検出法での使用に好適である請求項１８に記載の投薬システム。
【請求項２０】
１以上の生化学マーカーを検出するための複数の検出手段を有する請求項１〜１９のいずれかに記載の投薬システム。
【請求項２１】
前記複数の検出手段がアレイ状に配置されている請求項２０に記載の投薬システム。
【請求項２２】
患者の息をサンプリングするためのサンプリング手段を有し、前記検出手段が前記サンプリング手段内に配置されている請求項１〜２１のいずれかに記載の投薬システム。
【請求項２３】
前記電子処理手段が、関連するアナログおよびデジタル電子機器ならびにインターフェースを有するマイクロコントローラを有する請求項１〜２２のいずれかに記載の投薬システム。
【請求項２４】
前記電子処理手段がさらに、前記検出手段から受け取った信号を増幅するための増幅装置を有する請求項２３に記載の投薬システム。
【請求項２５】
前記電子処理手段と連絡している電子データ管理システムをさらに有する請求項１〜２４のいずれかに記載の投薬システム。
【請求項２６】
前記電子データ管理システムがデータベースを有し、前記電子処理手段が投薬における医薬の量を決定する上でそのデータベースを参照する請求項２５に記載の投薬システム。
【請求項２７】
前記投薬手段が医薬容器および投薬機構を有する請求項１〜２６のいずれかに記載の投薬システム。
【請求項２８】
前記投薬機構が前記電子処理手段の決定に直接応答して自動的に設定される請求項２７に記載の投薬システム。
【請求項２９】
前記投薬機構が、前記電子処理手段の決定に応じて手動で設定される請求項２７に記載の投薬システム。
【請求項３０】
前記投薬手段が、貯留部乾燥粉末吸入器（RDPI）、多用量乾燥粉末吸入器（MDPI）、定用量吸入器（MDI）および液体噴霧吸入器（LSI）からなる群から選択される請求項１〜２９のいずれかに記載の投薬システム。
【請求項３１】
複数の投薬手段を有し、各投薬手段が、組み合わせ医薬品の各成分の送出に使用される請求項１〜３０のいずれかに記載の投薬システム。
【請求項３２】
前記組み合わせ医薬品の各成分の投薬比が、前記電子処理手段からの入力に応じて可変である請求項３１に記載の投薬システム。
【請求項３３】
（ａ）第１の医薬成分が入った第１の医薬容器および前記第１の医薬容器の内容物を放出するための第１の放出手段；ならびに
（ｂ）少なくとも１種類の別の医薬成分が入った少なくとも１個の別の医薬容器および前記少なくとも１個の別の医薬容器のそれぞれの内容物を放出するための少なくとも１個の別の放出手段
を有し、
組み合わせて放出される箇所まで、前記第１の医薬成分が前記少なくとも１種類の別の医薬成分から分離された状態に保たれている請求項３１または３２に記載の投薬システム。
【手続補正書】
【提出日】平成17年10月19日(2005.10.19)
【手続補正１】
【補正対象書類名】特許請求の範囲
【補正対象項目名】全文
【補正方法】変更
【補正の内容】
【特許請求の範囲】
【請求項１】
水の供給源と、重炭酸塩濃縮物および塩化ナトリウム濃縮物の別々の供給源とを有する透析液調整システムを含む透析装置を用いた体外回路のプライミングあるいはリンスバックの方法において、該体外回路は、患者へ接続可能な、患者から採血するための動脈ライン、患者へ接続可能な、静脈リザーバより患者に血液を戻すための静脈ライン、および透析器により構成され、該方法は、
食塩液／溶液を得るために、上記水の供給源と上記塩化ナトリウムの供給源より食塩溶液を調整する段階と、
上記動脈ラインを透析器に連結する段階と、
上記体外回路セットを該食塩液／溶液にて満たす段階とを含む、体外回路のプライミングあるいはリンスバックの方法。
【請求項２】
塩化ナトリウムを水に溶解させることにより上記の塩化ナトリウム濃縮物を調整する段階をさらに有する、請求項１に記載の体外回路のプライミングあるいはリンスバックの方法。
【請求項３】
上記の動脈ラインは、望ましくは限外ろ過装置を配備したインフュージョンラインを介して、透析器に連結されている、請求項２に記載の体外回路のプライミングあるいはリンスバックの方法。
【請求項４】
食塩溶液はさらに、少量の他の電解質と、そして、カリウム、カルシウム、マグネシウム、酸を含有する、もしくは含有しないグルコースといったような、透析液の他の成分を含有する、請求項１から３のいずれかに記載の体外回路のプライミングあるいはリンスバックの方法。
【請求項５】
透析装置は主流路を有しており、この流路を上記食塩溶液によってプライミングする段階と、さらに好ましくは透析器の透析液コンパートメントに注入を行う段階とを有する、請求項１から４のいずれかに記載の体外回路のプライミングあるいはリンスバックの方法。
【請求項６】
透析装置は限外ろ過装置を配備したインフュージョンラインを有し、該インフュージョンラインを動脈血液ラインに連結し、かつ静脈血液ラインを使い捨てバッグまたは他のタイプのドレインに連結する段階と、次に、望ましくは動脈ラインより開始する、体外回路への注入を開始する段階とを有する、請求項１から５のいずれかに記載の体外回路のプライミングあるいはリンスバックの方法。
【請求項７】
上記水の供給源からの水および／または上記の食塩溶液を１個以上の限外ろ過装置に通過させ、バクテリアおよび内毒素を除去する段階をさらに有する、請求項１から６のいずれかに記載の体外回路のプライミングあるいはリンスバックの方法。
【請求項８】
透析装置の体外回路への注入準備が完了したという表示をあたえる段階をさらに有する、請求項１から７のいずれかに記載の体外回路のプライミングあるいはリンスバックの方法。
【請求項９】
食塩溶液は約１５４ｍｍｏｌ／ｌのナトリウムイオン濃度により実質的に生理的である、請求項１から８のいずれかに記載の体外回路のプライミングあるいはリンスバックの方法。
【請求項１０】
プライミング完了後、ナトリウムイオン濃度は約１５４ｍｍｏｌ／ｌから約１４０ｍｍｏｌ／ｌまで低下され、重炭酸イオン濃度は約０ｍｍｏｌ／ｌから約３４ｍｍｏｌ／ｌまで上昇される、請求項６に記載の体外回路のプライミングあるいはリンスバックの方法。
【請求項１１】
水の供給源（１０、１１、１２）と、そして重炭酸塩濃縮物と塩化ナトリウム濃縮物の別々の供給源（２０、１５）とを有する透析液調整システムを含む透析装置において、該透析装置はさらに、前記塩化ナトリウム濃縮物の供給源（１５）からの塩化ナトリウム濃縮物と前記水の供給源からの水とを混合する手段（１６、７）と、混合後の塩化ナトリウム濃度が所望の食塩溶液の塩化ナトリウム濃度とほぼ同一となるように、該水と該塩化ナトリウム濃縮物との混合比を調整する手段（９、５８）と、前記溶液を透析装置からインフュージョンライン（４４）の入口端部へ移す手段とを備え、該透析装置がさらに、透析器もしくは血液ろ過装置と血液チューブ系セットとを含む体外回路に連結可能であり、該血液チューブ系セットが、患者へ接続可能な、患者から採血するための動脈ライン（８０）と、患者へ接続可能な、静脈リザーバより患者に血液を戻すための静脈ライン（７０）とを含み、前記動脈ライン（８０）の患者側端部が前記インフュージョンライン（４４）の出口端部に接続可能である、透析装置。
【請求項１２】
上記混合する手段が、下流に導電度セル（９）が配置された混合ポイント（７）を有する、請求項１１に記載の透析装置。
【請求項１３】
食塩溶液の塩化ナトリウムの濃度に一致する塩化ナトリウム濃度の設定値を有する手段をさらに含む、請求項１２に記載の透析装置。
【請求項１４】
塩化ナトリウム濃度の設定値は１５０乃至１５８ｍｍｏｌ／ｌの範囲であり、望ましくは１５３乃至１５５ｍｍｏｌ／ｌであり、さらに望ましくは１５４ｍｍｏｌ／ｌである、請求項１３に記載の透析装置。
【請求項１５】
望ましくは上記導電度セルからの信号に反応して、上記水と上記塩化ナトリウム濃縮物の混合比を調整する手段をさらに含む、請求項１１から１４のいずれかに記載の透析装置。
【請求項１６】
上記インフュージョンライン（４４）が限外ろ過装置（４６）を含む、請求項１１から１４のいずれかに記載の透析装置。
【請求項１７】
上記の水、透析液、または食塩溶液の流路に少なくとも１個の限外ろ過装置（１１、４６、４８）をさらに有する、請求項１１から１６のいずれかに記載の透析装置。
【手続補正書】
【提出日】平成17年11月18日(2005.11.18)
【手続補正１】
【補正対象書類名】明細書
【補正対象項目名】００２１
【補正方法】変更
【補正の内容】
【００２１】
２４．０ｇ（０．１２モル）のＮ−カルバモイル−Ｌ−メチオニンを１００ｍｌの水に添加し、その後、１０Ｎ  ＮａＯＨによってｐＨを７．２に調整した。次いで、水を用いて体積を１７０ｍｌにした。この混合物を４０℃に加熱した。次いで、窒素雰囲気下で、１４．２ｇのアグロバクテリウム  ラディオバクター細胞懸濁物を添加することによって酵素反応を開始させた。反応混合物のｐＨは、３モル／リットルのＨ３ＰＯ４による滴定によってｐＨ７．２で一定に保たれた。反応混合物の組成をＨＰＬＣ分析によってモニターした。４４時間の反応時間の後、反応を停止した。この実験の結果を図２に示す。転化（％）（ｃ）は、時間（時間）（ｔ（ｈ））の関数として示される。図２は、反応時間が４０時間を超えると、Ｎ−カルバモイル−Ｌ−メチオニン（Ｓ）に基づいて約６５％の転化に達することを示す。形成されたＤ−メチオニン（Ｐ）のエナンチオマー過剰は＞９７．８％であった。
【手続補正書】
【提出日】平成17年3月15日(2005.3.15)
【手続補正１】
【補正対象書類名】特許請求の範囲
【補正対象項目名】全文
【補正方法】変更
【補正の内容】
【特許請求の範囲】
【請求項１】
−３７３７ ＩＬ−１Ｂ多型対立遺伝子を含むヒトゲノム配列の２０個の連続したヌクレオチドを含む単離核酸。
【請求項２】
前記２０個の連続したヌクレオチドが、−３７３７ ＩＬ−１Ｂ対立遺伝子１配列：
ＴＣＴＡＧＡＣＣＡＧＧＧＡＧＧＡＧＡＡＴＧＧＡＡＴＧＴＣＣＣＴＴＧＧＡＣＴＣＴＧＣＡＴＧＴ：に相当することを特徴とする請求項１記載の単離核酸。
【請求項３】
前記２０個の連続したヌクレオチドが、−３７３７ ＩＬ−１Ｂ対立遺伝子２配列：
ＴＣＴＡＧＡＣＣＡＧＧＧＡＧＧＡＧＡＡＴＧＧＡＡＴＧＴＴＣＣＴＴＧＧＡＣＴＣＴＧＣＡＴＧＴ：に相当することを特徴とする請求項１記載の単離核酸。
【請求項４】
−１４６９ ＩＬ−１Ｂ多型対立遺伝子を含むヒトゲノム配列の２０個の連続したヌクレオチドを含む単離核酸。
【請求項５】
前記２０個の連続したヌクレオチドが、−１４６９ ＩＬ−１Ｂ対立遺伝子１配列：
ＡＣＡＧＡＧＧＣＴＣＡＣＴＣＣＣＴＴＧＣＡＴＡＡＴＧＣＡＧＡＧＣＧＡＧＣＡＣＧＡＴＡＣＣＴＧＧ：に相当することを特徴とする請求項４記載の単離核酸。
【請求項６】
前記２０個の連続したヌクレオチドが、−１４６９ ＩＬ−１Ｂ対立遺伝子２配列：
ＡＣＡＧＡＧＧＣＴＣＡＣＴＣＣＣＴＴＧＴＡＴＡＡＴＧＣＡＧＡＧＣＧＡＧＣＡＣＧＡＴＡＣＣＴＧＧ：に相当することを特徴とする請求項４記載の単離核酸。
【請求項７】
−９９９ ＩＬ−１Ｂ多型対立遺伝子を含むヒトゲノム配列の２０個の連続したヌクレオチドを含む単離核酸。
【請求項８】
前記２０個の連続したヌクレオチドが、−９９９ ＩＬ−１Ｂ対立遺伝子１配列：
ＧＡＴＣＧＴＧＣＣＡＣＴｇｃＡＣＴＣＣＡＧＣＣＴＧＧＧＣＧＡＣＡＧＧＧＴＧＡＧＡＣＴＣＴＧＴＣＴＣ：に相当することを特徴とする請求項７記載の単離核酸。
【請求項９】
前記２０個の連続したヌクレオチドが−９９９ ＩＬ−１Ｂ対立遺伝子２配列：
ＧＡＴＣＧＴＧＣＣＡＣＴｇｃＡＣＴＣＣＡＧＣＣＴＧＧＧＣＧＡＣＡＧＣＧＴＧＡＧＡＣＴＣＴＧＴＣＴＣ：に相当することを特徴とする請求項７記載の単離核酸。
【請求項１０】
請求項１から９いずれか１項記載の単離核酸の相補配列を含む単離核酸。
【請求項１１】
ＩＬ−１Ｂの−３７３７に相当するヌクレオチドが、核酸分子の３'末端に位置することを特徴とする請求項１記載の単離核酸。
【請求項１２】
ＩＬ−１Ｂの−１４６９に相当するヌクレオチドが、核酸分子の３'末端に位置することを特徴とする請求項４記載の単離核酸。
【請求項１３】
ＩＬ−１Ｂの−９９９に相当するヌクレオチドが、核酸分子の３'末端に位置することを特徴とする請求項７記載の単離核酸。
【請求項１４】
検出可能な標識をさらに含むことを特徴とする、請求項１１から１３いずれか１項記載の核酸。
【請求項１５】
ヒト被験者におけるインターロイキン産生増加に関連する炎症性疾患または状態を発症する可能性の上昇を特定する方法であって：
ヒト被験者から得た核酸検体において、タイプ１またはタイプ２プロモーター配列としての−３７３７ ＩＬ−１Ｂ対立遺伝子の同一性を決定する工程を含み、
タイプ１ ＩＬ−１Ｂプロモーター配列の存在が、インターロイキン産生増加に関連する炎症性疾患または状態を発症する可能性の上昇を示唆することを特徴とする方法。
【請求項１６】
炎症性疾患が歯周病であることを特徴とする請求項１５記載の方法。
【請求項１７】
炎症性疾患がアルツハイマー病であることを特徴とする請求項１５記載の方法。
【請求項１８】
炎症性疾患が、アルツハイマー病、筋萎縮性側索硬化症、関節炎、コラーゲン誘導性関節炎、若年性慢性関節炎、若年性慢性関節リウマチ、変形性関節炎、喘息、心臓血管疾患、自己免疫性糖尿病、インシュリン依存性(タイプ１)糖尿病、糖尿病性歯周炎、糖尿病性網膜症、糖尿病性腎症、腹腔疾患、慢性大腸炎、クローン病、炎症性腸疾患、潰瘍性大腸炎、胃潰瘍、肝炎、コレステロール胆石、肝線維症、川崎病、多発性硬化症、腎症、神経変性疾患、眼疾患、膵小葉炎、歯周病、肺疾患、再狭窄、慢性関節リウマチ、甲状腺炎、円形脱毛症、自己免疫性心筋炎、およびグレーブス病より成る群から選択されることを特徴とする請求項１５記載の方法。
【請求項１９】
ヒト被験者がある治療薬で効果的に治療されうるかどうかを特定する方法であって：
ヒト被験者から得た核酸検体において、タイプ１またはタイプ２プロモーター配列としての−３７３７ ＩＬ−１Ｂ対立遺伝子の同一性を決定する工程を含み、
タイプ１ ＩＬ−１Ｂプロモーター配列の存在が、ヒト被験者がその治療薬で効果的に治療されうることを示唆することを特徴とする方法。
【請求項２０】
ヒト被験者におけるインターロイキン産生増加に関連する炎症性疾患または状態を発症する可能性の上昇を予測する方法であって：
ヒト被験者から得た核酸検体において、−３７３７ ＩＬ−ＩＢタイプ１対立遺伝子に関連するＩＬ−１ハプロタイプの存在を検出する工程を含み、
−３７３７ ＩＬ−ＩＢタイプ１対立遺伝子に関連するＩＬ−１ハプロタイプの存在が、炎症性疾患または状態を発症する可能性の上昇を示唆することを特徴とする方法。
【請求項２１】
ヒト被験者からの核酸検体において、ＩＬ−１Ｂ４対立遺伝子１(ＴＧＣＡＴＡＧＧＧＴＣ)、ＩＬ−１Ｂ３対立遺伝子１(ＴＧＣＡＴＡＧＧＧＴＣ)、ＩＬ−１Ｂ７対立遺伝子−１(ＴＧＣＡＴＡＧＧＧＴＣ)、ＩＬ−１Ｂ１５対立遺伝子１(ＴＧＣＡＴＡＧＧＧＴＣ)、ＩＬ−１Ｂ４対立遺伝子２(ＴＧＴＡＴＡＧＧＧＴＣ)、ＩＬ−１Ｂ３対立遺伝子２(ＴＡＣＡＴＡＧＧＧＴＣ)、ＩＬ−１Ｂ７対立遺伝子−２(ＴＧＣＡＴＧＧＧＧＴＣ)、およびＩＬ−１Ｂ１５対立遺伝子２(ＴＧＣＡＴＡＧＧＧＴＴ)より成る群から選択されるＩＬ−１Ｂ多型を検出する工程を含む、ヒト被験者におけるＩＬ−１Ｂ発現の変化に関連する炎症性疾患または状態を発症する可能性を予測する方法。
【請求項２２】
ＩＬ−１Ｂ４対立遺伝子１(ＴＧＣＡＴＡＧＧＧＴＣ)、ＩＬ−１Ｂ３対立遺伝子１(ＴＧＣＡＴＡＧＧＧＴＣ)、ＩＬ−１Ｂ７対立遺伝子−１(ＴＧＣＡＴＡＧＧＧＴＣ)、ＩＬ−１Ｂ１５対立遺伝子１(ＴＧＣＡＴＡＧＧＧＴＣ)、ＩＬ−１Ｂ４対立遺伝子２(ＴＧＴＡＴＡＧＧＧＴＣ)、ＩＬ−１Ｂ３対立遺伝子２(ＴＡＣＡＴＡＧＧＧＴＣ)、ＩＬ−１Ｂ７対立遺伝子−２(ＴＧＣＡＴＧＧＧＧＴＣ)、およびＩＬ−１Ｂ１５対立遺伝子２(ＴＧＣＡＴＡＧＧＧＴＴ)より成る群から選択されるＩＬ−１Ｂ ＳＮＰを含むＩＬ−１炎症性遺伝子型の検出のための単離核酸。
【請求項２３】
ＩＬ−１遺伝子発現変化に関連する機能性多型を検出する方法であって：
ＩＬ−１ ＳＮＰを同定し；
前記ＳＮＰがＩＬ−１遺伝子の発現またはＩＬ−１遺伝子転写因子の結合に及ぼす影響を機能的に評価する；工程を含み、
前記ＳＮＰがＩＬ−１遺伝子の発現の変化またはＩＬ−１遺伝子転写因子の結合の変化に関連する場合は、該ＳＮＰがＩＬ−１遺伝子の発現の変化に関連する機能性多型であることを特徴とする方法。
【手続補正書】
【提出日】平成17年11月1日(2005.11.1)
【手続補正１】
【補正対象書類名】特許請求の範囲
【補正対象項目名】全文
【補正方法】変更
【補正の内容】
【特許請求の範囲】
【請求項１】
配列番号：01、03、05、07、09、11、13、15、17、19、21、23、25、または27の少なくとも10残基長のヌクレオチド配列と、実質的に同じであるかまたは同一である残基の配列を有する核酸。
【請求項２】
配列番号：01、03、05、07、09、11、13、15、17、19、21、23、25、または27の少なくとも10残基長の配列との少なくとも約60％の配列類似性を有する、請求項1記載の核酸。
【請求項３】
配列番号：02、04、06、08、10、12、14、16、18、20、22、24、26、または28のアミノ酸配列を有する色素タンパク質および／または蛍光性タンパク質をコードする、その天然環境以外に存在する核酸。
【請求項４】
配列番号：02、04、06、08、10、12、14、16、18、20、22、24、26、または28のアミノ酸配列を有するタンパク質の変異タンパク質をコードする核酸。
【請求項５】
変異タンパク質が、野生型タンパク質と比較して少なくとも1個の点変異を含む、請求項4記載の核酸。
【請求項６】
変異タンパク質が、野生型タンパク質と比較して少なくとも1個の欠失変異を含む、請求項4記載の核酸。
【請求項７】
請求項1から6のいずれか一項記載の選択された核酸の断片。
【請求項８】
ストリンジェントな条件の下で請求項1から7のいずれか一項記載の核酸とハイブリダイズする、単離された核酸またはそれらの模倣体。
【請求項９】
ベクターおよび請求項1から8のいずれか一項記載の核酸を含む構築物。
【請求項１０】
（a）発現宿主において機能性の転写開始領域；
（b）請求項1から9のいずれか一項記載の核酸からなる群より選択される核酸；および
（c）該発現宿主において機能性の転写終結領域
を含む発現カセット。
【請求項１１】
宿主細胞への発現カセットの導入の結果として、染色体外要素の一部として存在するかまたは宿主細胞のゲノムへ組み込まれている、請求項10記載の発現カセットを含む細胞またはその子孫。
【請求項１２】
色素タンパク質および／または蛍光性タンパク質を作製する方法であって、
該タンパク質が発現されるよう、請求項11記載の細胞を増殖させる段階；および
他のタンパク質を実質的に含まない該タンパク質を単離する段階
を含む方法。
【請求項１３】
請求項1から10のいずれか一項記載の核酸によりコードされるタンパク質またはその断片。
【請求項１４】
請求項13記載のタンパク質と特異的に結合する抗体。
【請求項１５】
請求項1から10のいずれか一項記載の核酸からなる群より選択される導入遺伝子を含む、トランスジェニック細胞またはその子孫。
【請求項１６】
請求項1から10のいずれか一項記載の核酸からなる群より選択される導入遺伝子を含むことができるトランスジェニック生物。
【請求項１７】
色素タンパク質または蛍光性タンパク質を利用する適用において、請求項13記載のタンパク質を利用することを含む改良。
【請求項１８】
色素タンパク質または蛍光性タンパク質をコードする核酸を利用する適用において、請求項1から10のいずれか一項記載の核酸を利用することを含む改良。
【請求項１９】
請求項1から10のいずれか一項記載の核酸および該核酸の使用に関する指示を含むキット。
【手続補正書】
【提出日】平成17年8月17日(2005.8.17)
【手続補正１】
【補正対象書類名】特許請求の範囲
【補正対象項目名】請求項８
【補正方法】変更
【補正の内容】
【請求項８】
(i) TSH受容体に応答して産生した自己抗体および／またはリンパ球が相互作用する１以上のTSH受容体抗原決定基の一次構造配座の部分または全部を含む、から成る、または、から本質的に成る、ポリペプチド配列であって、TSH受容体のアミノ酸番号277〜296、またはTSH受容体のアミノ酸番号277〜296の１以上の変異体、類似体、誘導体または断片、またはその断片の変異体、類似体または誘導体の一次構造配座を含む、から成る、または、から本質的に成るポリペプチド配列、および
(ii) TSH受容体に応答して産生した自己抗体および／またはリンパ球が相互作用する１以上のTSH受容体抗原決定基の一次構造配座の部分または全部を含む、から成る、または、から本質的に成る、ポリペプチド配列であって、TSH受容体のアミノ酸番号246〜260、またはTSH受容体のアミノ酸番号246〜260の１以上の変異体、類似体、誘導体または断片、またはその断片の変異体、類似体または誘導体の一次構造配座を含む、から成る、または、から本質的に成る、ポリペプチド配列、
を採用し、TSH受容体に応答して産生した自己抗体および／またはリンパ球が該ポリペプチド配列と相互作用することにより、該診断または治療が可能になる請求項１〜７のいずれかに記載のペプチド配列を含有する診断剤または治療剤。
【手続補正２】
【補正対象書類名】特許請求の範囲
【補正対象項目名】請求項１０
【補正方法】変更
【補正の内容】
【請求項１０】
(i) TSH受容体に応答して産生した自己抗体および／またはリンパ球が相互作用する１以上のTSH受容体抗原決定基の一次構造配座の部分または全部を含む、から成る、または、から本質的に成る、ポリペプチド配列であって、図５のアミノ酸配列のいずれか１に示すTSH受容体のアミノ酸番号277〜296、または図５のアミノ酸配列のいずれか１に示すTSH受容体のアミノ酸番号277〜296の１以上の変異体、類似体、誘導体または断片、またはその断片の変異体、類似体または誘導体の一次構造配座を含む、から成る、または、から本質的に成るポリペプチド配列、および
(ii) TSH受容体に応答して産生した自己抗体および／またはリンパ球が相互作用する１以上のTSH受容体抗原決定基の一次構造配座の部分または全部を含む、から成る、または、から本質的に成る、ポリペプチド配列であって、図３のアミノ酸配列のいずれか１に示すTSH受容体のアミノ酸番号246〜260、または図３のアミノ酸配列のいずれか１に示すTSH受容体のアミノ酸番号246〜260の１以上の変異体、類似体、誘導体または断片、またはその断片の変異体、類似体または誘導体の一次構造配座を含む、から成る、または、から本質的に成る、ポリペプチド配列、
を採用し、TSH受容体に応答して産生した自己抗体および／またはリンパ球が該ポリペプチド配列と相互作用することにより、該診断または治療が可能になる請求項１〜９のいずれかに記載のポリペプチド配列を含有する診断剤または治療剤。
【手続補正３】
【補正対象書類名】特許請求の範囲
【補正対象項目名】請求項１２
【補正方法】変更
【補正の内容】
【請求項１２】
該ポリペプチド配列またはポリペプチド配列群がTSH受容体に応答して産生した自己抗体と相互作用することにより、該診断または治療が可能になる請求項１〜１１のいずれかに記載のポリペプチド配列を含有する診断剤または治療剤。
【手続補正４】
【補正対象書類名】特許請求の範囲
【補正対象項目名】請求項１３
【補正方法】変更
【補正の内容】
【請求項１３】
該ポリペプチド配列がTSH受容体に応答して産生したリンパ球と相互作用することにより、該診断または治療が可能になる請求項１〜１１のいずれかに記載のポリペプチド配列を含有する診断剤または治療剤。
【手続補正５】
【補正対象書類名】特許請求の範囲
【補正対象項目名】請求項５２
【補正方法】変更
【補正の内容】
【請求項５２】
TSH受容体への免疫反応に伴う自己免疫疾患に、罹患の疑いがある、感受性がある、罹患中である、または罹患から回復中である対象におけるTSH受容体への免疫反応に伴う自己免疫疾患の発生または存在の可能性を診断する方法であって、TSH受容体に応答して産生した自己抗体またはリンパ球を対象由来の体液試料中に請求項３８〜４４のいずれかに従って検出し、検出された自己抗体および／またはリンパ球から、TSH受容体への免疫反応に伴う自己免疫疾患が対象において発生または存在している可能性を診断することを含むことを特徴とする診断剤。
【手続補正６】
【補正対象書類名】特許請求の範囲
【補正対象項目名】請求項５３
【補正方法】変更
【補正の内容】
【請求項５３】
TSH受容体への免疫反応に伴う自己免疫疾患に、罹患の疑いがある、感受性がある、罹患中である、または罹患から回復中である動物対象におけるTSH受容体への免疫反応に伴う自己免疫疾患の発生を遅延または防止する方法であって、TSH受容体への免疫反応に伴う自己免疫疾患の発生または存在を示す自己抗体またはリンパ球を対象由来の体液試料中に請求項３８〜４４のいずれかに従って最初に検出し、これによってTSH受容体への免疫反応に伴う自己免疫疾患が対象において発生している可能性を診断し、その後にTSH受容体への免疫反応に伴う自己免疫疾患の発生を遅延および／または防止するために対象を治療処置することを含むことを特徴とする治療剤。
【手続補正７】
【補正対象書類名】特許請求の範囲
【補正対象項目名】請求項５８
【補正方法】変更
【補正の内容】
【請求項５８】
対象におけるTSH受容体への免疫反応に伴う自己免疫疾患を治療する方法であって、TSH受容体に応答して産生した自己抗体またはリンパ球を対象由来の体液試料中に請求項３８〜４４のいずれかに従って最初に検出し、それによって対象の自己免疫疾患を診断し、その自己疾患の治療に有効な少なくとも１の治療薬剤の治療的有効量を対象に投与することを含むことを特徴とする治療剤。
【手続補正８】
【補正対象書類名】特許請求の範囲
【補正対象項目名】請求項６０
【補正方法】変更
【補正の内容】
【請求項６０】
対象におけるTSH受容体への免疫反応に伴う自己免疫疾患を治療する方法であって、請求項１４〜２１のいずれかに記載の1以上のTSH受容体抗原決定基のアミノ酸１次配座の部分または全部を含むアミノ酸との相互作用により治療効果を与えると認定された対象に治療的有効量を投与するための治療剤。
【手続補正９】
【補正対象書類名】特許請求の範囲
【補正対象項目名】請求項９１
【補正方法】変更
【補正の内容】
【請求項９１】
対象におけるTSH受容体への免疫反応に伴う自己免疫疾患を治療する方法であって、請求項６３〜７０のいずれかに定義の特異的結合性パートナーの治療的有効量を該対象に投与するための治療剤。
【手続補正１０】
【補正対象書類名】特許請求の範囲
【補正対象項目名】請求項９５
【補正方法】変更
【補正の内容】
【請求項９５】
甲状腺組織および／またはTSH受容体含有組織の刺激方法であって、そのような刺激を必要とする患者に、請求項６３〜７０のいずれかに定義の結合性パートナーの診断的または治療的有効量を投与するための治療剤。